(57)【特許請求の範囲】
【請求項１】
複数の記録層を有する多層の光記録媒体において、
前記複数の記録層のうち少なくとも一つの記録層は、光入射側から記録膜と可変反射膜とをこの順に有しており、
前記記録膜は光照射により発熱する材料からなり、
前記可変反射膜は、膜温度が所定温度未満では光に対して透過性を有し、かつ、膜温度が前記所定温度以上では光に対して反射性を有する材料からなり、光照射時に前記記録膜から発生する熱により加熱されて膜温度が前記所定温度以上となった領域に高反射部が形成されることを特徴とする光記録媒体。
【請求項２】
複数の記録層を有する多層の光記録媒体において、
前記複数の記録層のうち少なくとも一つの記録層は、光入射側から記録膜と可変反射膜と発熱膜とをこの順に有し、
前記発熱膜は光照射により発熱し、
前記可変反射膜は、膜温度が所定温度未満では光に対して透過性を有し、かつ、膜温度が前記所定温度以上では光に対して反射性を有する材料からなり、光照射時に前記発熱膜から発生する熱により加熱されて膜温度が前記所定温度以上となった領域に高反射部が形成されることを特徴とする光記録媒体。
【請求項３】
複数の記録層を有する多層の光記録媒体において、
前記複数の記録層のうち少なくとも一つの記録層は、光入射側から記録膜と可変反射膜と波長選択発熱膜とをこの順に有しており、
前記波長選択発熱膜は所定の波長範囲の光の照射により発熱し、
前記可変反射膜は、膜温度が所定温度未満では光に対して透過性を有し、かつ、膜温度が前記所定温度以上では光に対して反射性を有する材料からなり、光照射時に前記波長選択発熱膜から発生する熱により加熱されて膜温度が前記所定温度以上となった領域に高反射部が形成されることを特徴とする光記録媒体。
【請求項４】
前記可変反射膜は、熱による化学変化で光に対して透過性を有する状態から反射性を有する状態へと変化する請求項１〜３の何れか一項に記載の光記録媒体。
【請求項５】
前記可変反射膜が金属の酸化物からなる請求項４に記載の光記録媒体。
【請求項６】
前記可変反射膜が、銀酸化物、錫酸化物、インジウム酸化物、および亜鉛酸化物のうち少なくとも何れか一つを含む請求項５に記載の光記録媒体。
【請求項７】
前記可変反射膜が、誘電体層により挟まれて配置されている請求項１〜３の何れか一項に記載の光記録媒体。
【請求項８】
前記複数の記録層のうち光照射側から最も離れた位置に配置される記録層は、光入射側から順に、記録膜と、入射光を全反射する全反射膜とを有している請求項１〜３の何れか一項に記載の光記録媒体。
【請求項９】
請求項１〜３の何れか一項に記載の光記録媒体に対して情報を記録再生する方法であって、
光照射によって発生する熱により、可変反射膜の一部を光に対して透過性を有する状態から反射性を有する状態へと変化させて高反射部を形成し、記録膜に情報を記録再生することを特徴とする光記録再生方法。
【請求項１０】
前記可変反射膜において、光照射によって発生する熱により光に対して透過性を有する状態から反射性を有する状態へ変化させた領域が、照射される光のスポットサイズよりも小さい請求項９に記載の光記録再生方法。
【発明の詳細な説明】
［技術分野］
【０００１】
本発明は、光ディスクや光カード等、情報が光学的に記録・再生される光記録媒体と、光記録媒体に対して情報を記録・再生するための光記録再生方法に関するものである。
【０００２】
［背景技術］
近年、社会の情報化が進むにつれて、大容量な外部記憶装置が望まれている。光学的な情報の記録においては、光の波長と対物レンズの開口数で決まる回折限界が存在するため、従来、記録ピットのサイズの縮小による高密度化には限界があった。このような問題を解決するために、複数の記録層を有する多層光記録媒体が提案されている。多層型の光記録媒体に使用される記録層には、光を反射させることができると共に透過させることもできる半透明な膜が用いられている。このため、目的の記録層以外の記録層での光反射による光損失が生じる。また、入射する光の進行方向上流側を上、下流側を下とした場合、目的の記録層よりも下層に位置する層にも透過光が達するため、さらに光損失が生じることとなる。このような問題を解決するために、記録層に非線形光学特徴を有する非線形物質を用いた多層光記録媒体が提案されている（特開２０００−３５２９号公報）。
【０００３】
図１０は、従来の多層光記録媒体の断面構成を示している。図１０の光記録媒体は、第１光透過膜１０と第２光透過膜１４の間に位置した第１記録層１２と、第２光透過膜１４をはさみ第１記録層１２と対向する位置に形成された第２記録層１６とを有する。さらに、第１記録層１２にはガイド溝１２Ａが設けられている。第１記録層１２は、光の強さが強くなるにつれて非線形的に大きくなる反射率を有する非線形反射物質で形成されている。このような性質を有する非線形反射物質としては、ａ−Ｓｉ、ＩｎＳｂ、ＺｎＴｅ、ＺｎＳｅ、ＣｄＳＳｅ、ＧａＡｓ、ＧａＳｂなどがある。このような非線形反射物質で第１記録層１２を形成する場合、第１記録層１２は、｜（ｎ−ｎs）／（ｎ＋ｎs）｜2によって変わる反射率Ｒ１を有する。ここで、ｎsは第１光透過膜１０および第２光透過膜１４の屈折率であり、ｎは非線形反射物質である第１記録層１２の屈折率である。ここで用いている非線形反射物質とは、光強度によって屈折率が変化する現象が生じる材料、いわゆる非線型光学効果の大きな材料である。
【０００４】
このような光記録媒体の光学的特性を説明する。第１記録層１２がアクセスされる場合、光スポットが第１記録層１２に形成されるために第１記録層１２に照射される光ビームは比較的強くなる。このときの第１記録層１２の反射率Ｒ１が、例えば４０％であるとする。一方、第２記録層１６がアクセスされる時には、照射される光スポットが第２記録層１６上に形成されるために第１記録層１２に照射される光は比較的弱くなる。このときの第１記録層１２の反射率Ｒ１を例えば３０％とすると、第１記録層１２は入射光の３０％を反射させ、７０％を第２記録層１６側に透過させることになる。従って、効率よく第２記録層１６のアクセスが行える。
【０００５】
しかしながら、開示の技術では、その反射率変化は３０％から４０％と、わずか１０％の変化しかない。これは、第１記録層１２や第２記録層１６に非線型光学効果を有する材料を用いていることによる限界で、さらなる多層化に対しては光量が不足するという課題があった。
【０００６】
［発明の開示］
本発明の第１の光記録媒体は、複数の記録層を有する多層の光記録媒体において、前記複数の記録層のうち少なくとも一つの記録層が、光入射側から記録膜と可変反射膜とをこの順に有しており、前記記録膜は光照射により発熱する材料からなり、前記可変反射膜は、膜温度が所定温度未満では光に対して透過性を有し、かつ、膜温度が前記所定温度以上では光に対して反射性を有する材料からなり、前記可変反射膜には、光照射時に前記記録膜から発生する熱により加熱されて膜温度が前記所定温度以上となった領域に高反射部が形成されることを特徴としている。
【０００７】
この第１の光記録媒体によれば、アクセスの対象となる記録層に光スポットが形成されるとその記録層に設けられた記録膜に照射される光が強くなるため、その結果、記録膜において局所的な発熱が起こり温度が上昇する。この熱によりアクセスされる記録層の可変反射膜に高反射部が形成され、入射光のほとんどがこの高反射部で反射される。従って、光損失の量を少なくすることができ、光効率の良い信号検出が可能となる。また、情報を記録する場合も、高反射部からの反射光が増えるので記録光量が少なくてすみ、光効率のよい記録が可能となる。また、この光記録媒体は可変反射膜の透過から反射への状態変化を利用しているために、従来の非線型光学効果を利用した光記録媒体に比べて光効率が良く、より多くの記録層を持った多層光記録媒体が実現できる。
【０００８】
本発明の第２の光記録媒体は、複数の記録層を有する多層の光記録媒体において、前記複数の記録層のうち少なくとも一つの記録層が、光入射側から記録膜と可変反射膜と発熱膜とをこの順に有し、前記発熱膜は光照射により発熱し、前記可変反射膜は、膜温度が所定温度未満では光に対して透過性を有し、かつ、膜温度が前記所定温度以上では光に対して反射性を有する材料からなり、前記可変反射膜には、光照射時に前記発熱膜から発生する熱により加熱されて膜温度が前記所定温度以上となった領域に高反射部が形成されることを特徴としている。この第２の光記録媒体によれば、第１の光記録媒体にて得られる光効率の良好な記録再生という効果に加えて、高反射部のサイズ変動を抑制できるという効果も得られる。
【０００９】
本発明の第３の光記録媒体は、複数の記録層を有する多層の光記録媒体において、前記複数の記録層のうち少なくとも一つの記録層が、光入射側から記録膜と可変反射膜と波長選択発熱膜とをこの順に有しており、前記波長選択発熱膜は所定の波長範囲の光の照射により発熱し、前記可変反射膜は、膜温度が所定温度未満では光に対して透過性を有し、かつ、膜温度が前記所定温度以上では光に対して反射性を有する材料からなり、前記可変反射膜には、光照射時に前記波長選択発熱膜から発生する熱により加熱されて膜温度が前記所定温度以上となった領域に高反射部が形成されることを特徴としている。この第３の光記録媒体によれば、第１および第２の光記録媒体と同様に、光効率の良好な記録再生を実現することができる。
【００１０】
また、本発明の第１〜第３の光記録媒体において、前記可変反射膜は、熱による化学変化で光に対して透過性を有する状態から反射性を有する状態へと変化することが好ましく、さらに、前記可変反射膜は金属の酸化物からなり、銀酸化物、錫酸化物、インジウム酸化物、および亜鉛酸化物のうち少なくとも何れか一つを含むことが好ましい。
【００１１】
また、前記記録膜と前記可変反射膜との化合物生成を防止し、さらには可変反射膜の化学変化により生じた物質を閉じ込めておくため、本発明の第１〜第３の光記録媒体においては、前記可変反射膜を誘電体層により挟んで配置することが好ましい。
【００１２】
また、本発明の第１〜第３の光記録媒体において、前記複数の記録層のうち光照射側から最も離れた位置に配置される記録層は、光入射側から順に、記録膜と入射光を全反射する全反射膜とを有していることが好ましい。
【００１３】
本発明の光記録再生方法は、本発明の第１〜第３の光記録媒体に対して情報を記録再生する方法であって、光照射によって発生する熱により、可変反射膜の一部を光に対して透過性を有する状態から反射性を有する状態へと変化させて高反射部を形成し、記録膜に情報を記録再生することを特徴とする。さらに、前記可変反射膜において、光照射によって発生する熱により光に対して透過性を有する状態から反射性を有する状態へ変化させた領域を、照射される光のスポットサイズよりも小さくすることで、超解像記録再生が可能となる。
【００１４】
［発明を実施するための最良の形態］
以下、本発明の実施の形態についてさらに詳しく説明する。
【００１５】
（実施の形態１）
図１に、実施の形態１の光記録媒体の断面構成が示されている。この光記録媒体は、基板７０１に、光（Ｌ０）入射側から第１記録層７５１、第２記録層７５２、および最終記録層７５４がこの順に設けられた多層光記録媒体である。各記録層間には、分離膜７３１，７３２が設けられている。
【００１６】
第１記録層７５１と第２記録層７５２は同様の層構造になっており、光（Ｌ０）入射側から記録膜７２１，７２２、誘電体膜７１１，７１３、反射制御膜（可変反射膜に相当）７３５，７３６、および誘電体膜７１２，７１４が順に設けられた構造となっている。
【００１７】
さらに、第２記録層７５２と分離膜７３２をはさんで、記録膜７２３、誘電体膜７１５、反射膜７０２からなる最終記録層７５４が配置されている。この構成において、第１記録層７５１および第２記録層７５２の記録膜７２１，７２２は、記録再生する波長の光に対しては半透明膜で入射光の一部を吸収し発熱するＧｅＳｂＴｅ等の記録材料からなる。
【００１８】
また、反射制御膜７３５および反射制御膜７３６は銀酸化物（ＡｇＯx）からなり、分解温度以上で銀と酸素に分解して透過から反射の状態へと変化する。
【００１９】
誘電体膜７１１，７１２，７１３，７１４は銀酸化物の分解温度よりも融点（もしくは軟化点）が高い透明誘電体で、銀酸化物の分解によって生成された銀および酸素を閉じ込めておく役割を果たす。誘電体膜７１１，７１２，７１３，７１４は、ＺｎＳとＳｉＯ2の混合物等により形成することができる。
【００２０】
さらに、誘電体膜７１１，７１３は、記録膜７２１，７２２と反射制御膜７３５，７３６との化合物生成を防止する働きをする。また、分離膜７３１，７３２は各記録層を光学的、熱的に分離するためのものであり、記録再生光（Ｌ０）の焦点深度よりも厚い透明材料（例えばポリメタクリル酸メチル）からなる。なお、各記録層にはガイド溝が設けられており、これは記録の位置を特定するために用いられる。
【００２１】
以下、本実施の形態の光記録媒体の光学的特性を説明する。第１記録層７５１がアクセスされる場合、入射光Ｌ０の光スポットが第１記録層７５１に形成されるため、第１記録層７５１に照射される光ビームは比較的に強くなる。その結果、記録膜７２１での局所的な発熱が起こり、温度が上昇する。この熱は、誘電体膜７１１を介して反射制御膜７３５に伝達されるので、反射制御膜７３５も温度上昇する。これにより反射制御膜７３５の温度が酸化銀の分解温度に達して銀と酸素に分解され、高反射部７４１が形成される。入射光Ｌ０はこの高反射部７４１により殆どが反射される。この反射光を検出することにより再生信号を検出する。
【００２２】
一方、第２記録層７５２がアクセスされる時の光記録媒体の様子が、図２に示されている。第２記録層７５２がアクセスされる時には、照射される光スポットが第２記録層７５２上に形成されるために、記録膜７２１では入射光の吸収による発熱領域が分散され温度上昇は小さい。このため反射制御膜７３５は酸化銀の状態を維持し入射光を透過する。記録膜７２２では、第１記録層７５１のアクセス時同様光スポットが形成され、記録膜７２２での局所発熱が生じ、反射制御膜７３６に高反射部７４２が形成される。入射光Ｌ０はこの高反射部７４２により殆どが反射され、反射光が第１記録層７５１を透過する。この反射光を検出することにより再生信号を検出する。
【００２３】
また、最終記録層７５４がアクセスされる時の光記録媒体の様子が、図３に示されている。最終記録層７５４がアクセスされる時には、照射される光スポットが最終記録層７５４上に形成されるために記録膜７２１および記録膜７２２では入射光の吸収による発熱領域が分散され温度上昇は小さい。このため反射制御膜７３５および反射制御膜７３６は酸化銀の状態を維持し入射光を透過する。この光は反射膜７０２で反射され、反射光が第２記録層７５２および第１記録層７５１を透過する。この反射光を検出することにより再生信号を検出する。
【００２４】
このように、アクセスされる時のみ該当する記録層に高反射部７４１，７４２が形成されるので、光効率の良い信号検出が可能となる。本発明では、反射制御膜７３５，７３６の透過から反射への状態変化を利用しているために、従来の非線型光学効果を利用した光記録媒体に比べて光効率が良く、より多くの記録層を持った多層光記録媒体が実現できる。また、情報を記録する場合も、高反射部７４１，７４２からの反射光が増えるので記録光量が少なくてすみ、光効率のよい記録が可能となる。なお、ここでは３層の記録層を持つ場合について説明したが、その限りではなく、本構成は２層および４層以上の記録層を有する光記録媒体にも適用可能である。また、反射制御膜７３５，７３６として銀酸化物を用いた構成について説明したが、この限りではなく、熱による化学変化で透過から反射の状態へ変化する材料であればよい。例えば、錫酸化物、インジウム酸化物、または亜鉛酸化物等でもよく、さらにこれらの材料の混合物でもよい。
【００２５】
また、本実施の形態の光記録媒体によれば、回折限界以下のマークの再生、いわゆる超解像記録再生も可能となる。以下に、本実施の形態の光記録媒体に対する超解像記録再生動作について説明する。
【００２６】
図４は、本実施の形態の光記録媒体を用いて超解像記録再生を行う方法を説明する断面図である。なお、図４には第１記録層７５１にアクセスする様子が示されている。本実施の形態の光記録媒体の再生においては、高反射部７４１を照射スポットのサイズよりも小さくすることが可能である。図５に示す照射スポットと高反射部７４１の形成領域の関係を表す図を用いて、以下に高反射部７４１の形成領域について説明する。
【００２７】
本実施の形態の光記録媒体を記録再生する場合、反射制御膜７３５の温度分布は照射領域の中心部分が一番高い、単峰形状になる。高反射部７４１は反射制御膜７３５の温度が一定以上（高反射部形成限界温度以上）になった部分に形成される。従って、照射光Ｌ０の強度を、高反射部形成限界温度以上となる領域のサイズが照射スポットのサイズよりも小さくなるように選択して、照射することにより、図４に示すような照射スポット以下のサイズの高反射部７４１を形成することができる。このような状態では、高反射部７４１部分に照射した光のみが反射されるので、照射スポットの外周部に記録されている情報の影響を受けることなく、高解像の信号検出が可能となる。
【００２８】
（実施の形態２）
実施の形態２の光記録媒体は、実施の形態１の光記録媒体の最終記録層７５４以外の記録層７５１，７５２を図６に示す構成に置き換えたものである。なお、図６においては第１記録層７５１にアクセスする様子が示されている。
【００２９】
図６において、７１１および７１２は誘電体膜、７３５は反射制御膜であり、実施の形態１の場合と同じものである。記録膜７２１は、光Ｌ０に対してほぼ透明であり、屈折率の違いにより情報を記録する記録膜である。また、吸収発熱膜７４６は光Ｌ０に対して半透明な材料からなる。例えば光Ｌ０がレーザ波長６５０ｍｍ程度のレーザ光である場合には、吸収発熱膜７４６としてアモルファスＳｉ薄膜を用いることができる。光Ｌ０は吸収発熱膜７４６により吸収され熱が発生する。この発生した熱は誘電体膜７１２を介して反射制御膜７３５を加熱し、高反射部７４１を形成する。集光された光は記録膜７２１の屈折率分布による回折で変調されて、次に高反射部７４１で反射される。この反射光を検出することにより再生信号を検出する。
【００３０】
本実施の形態の光記録媒体は、実施の形態１の場合のように記録膜７２１で熱を発生させるのではなく、別途設けた吸収発熱膜７４６にて熱を発生させる。このように、光照射によって熱を発生しない材料にて記録膜７２１を形成する場合であっても、吸収発熱膜７４６を設けることにより、光効率を向上させるという実施の形態１の場合と同様の効果を実現できる。
【００３１】
さらに、この構成は光Ｌ０の強度の変化による高反射部７４１のサイズの変動を抑える効果を有する。以下、この動作原理を説明する。光Ｌ０の光量が増加した場合、吸収発熱膜７４６での発熱量が増加し高反射部７４１のサイズが大きくなる。ところが高反射部７４１が増加すると、吸収発熱膜７４６へ入射する光量が減少することになり、吸収発熱膜７４６での発熱量も減少する。これにより、高反射部７４１のサイズも小さくなる。結果として、高反射部７４１のサイズ変動を抑制することができる。
【００３２】
逆に、光Ｌ０の光量が減少した場合、吸収発熱膜７４６での発熱量が減少し高反射部７４１のサイズが小さくなる。高反射部７４１が小さくなると、吸収発熱膜７４６へ入射する光量が増加することになり、吸収発熱膜７４６での発熱量も増加する。これにより、高反射部７４１のサイズが大きくなる。結果として高反射部７４１のサイズ変動を抑制することができる。
【００３３】
このように、この光記録媒体においては、光Ｌ０の強度によらず、スポットサイズよりも小さな吸収発熱膜７４６を安定に形成でき、安定した超解像再生が可能となるという効果も実現できる。
【００３４】
（実施の形態３）
実施の形態３の光記録媒体は、実施の形態１の光記録媒体の最終記録層７５４以外の記録層７５１，７５２を図７に示す構成に置き換えたものである。なお、図７においては第１記録層７５１にアクセスする様子が示されている。
【００３５】
図７において、７１１および７１２は誘電体膜、７３５は反射制御膜であり、実施の形態１の場合と同じものである。記録膜７２１は波長λ１の光Ｌ１と波長λ２の光Ｌ２に対してほぼ透明で、熱により屈折率が変化することを利用して情報を記録する記録膜である。また波長選択吸収膜７４３は光Ｌ２に対して半透明で、光Ｌ１に対して透明な材料からなる。例えば光Ｌ１の波長λ１が４３０ｎｍ程度、光Ｌ２の波長λ２が６５０ｎｍ程度の場合、波長選択吸収膜７４３をＣｏＯ、ＦｅＯ、ＣｕＯを含むＳｉＯ2により形成することができる。
【００３６】
以下、動作原理を説明する。本実施の形態の光記録媒体に対する情報の記録再生時には、二つの光Ｌ１および光Ｌ２を同時に照射する。光Ｌ２は波長選択吸収膜７４３により吸収され、熱を発生する。この発生した熱は誘電体膜７１２を介して反射制御膜７３５を加熱し、高反射部７４１を形成する。さらに、熱は記録膜７２１に伝わり、記録膜７２１の温度を上昇させる。記録は、記録膜７２１の温度を記録温度まで上げて記録膜７２１の屈折率変化を起こすことにより行う。また、再生においては、信号は同時に照射した光Ｌ１を用いて検出される。光Ｌ１は高反射部７４１を除く全ての膜に対して透明であるので、目的とする記録層に効率良く集光される。集光された光は記録膜７２１を透過する際、記録された屈折率分布に応じて散乱量が変化し、結果として反射光量が変調される。この反射光を検出することにより再生信号を検出する。以上の構成により、さらに高効率の信号検出が可能となる。
【００３７】
（実施の形態４）
本発明の光記録媒体に情報を記録もしくは再生する光情報処理装置は、第１の放射光源と、第２の放射光源と、前記第１および第２の放射光源からの出射光を前記光記録媒体上へ微小スポットに収束する集光光学系と、前記光記録媒体からの反射光を受けて光電流を出力する光検出器と、前記光記録媒体で反射した第１の放射光源からの出射光である第１出射光のみを前記光検出器へ導くための光学系とを備えており、前記第２の放射光源からの出射光である第２出射光は、前記光記録媒体上の前記第１出射光が集光される位置で、前記第１出射光よりも広いスポットサイズで集光されることが好ましい。この光情報処理装置によれば、本発明の光記録媒体に対する情報の記録再生をより高効率に行うことができるからである。
【００３８】
以下に、反射制御膜７３５，７３６に光反射部７４１を形成する際に二つの放射光源を用いる光情報処理装置の一実施形態について説明する。
【００３９】
図８には、本実施の形態の光情報処理装置の構成が示されている。第１の半導体レーザ１００から出射した波長λ１の光Ｌ１は、偏光ビームスプリッタ１０７および波長選択プリズム１０８を透過して、コリメートレンズ１０２により平行光に変換され、１／４波長板１１５により円偏光に変換される。この光はさらに対物レンズ１０３により、実施の形態１の光記録媒体と同じ構成の光ディスク１０５の記録層に集光される（往路）。光ディスク１０５からの反射光は、対物レンズ１０３により平行光に変換され、１／４波長板１１５により往路と９０度異なる直線偏光に変換される。この光は波長選択プリズム１０８を透過し偏光ビームスプリッタ１０７で反射されホログラム素子１７０に入射する。この光は、ホログラム素子１７０により、サーボ信号を取るために波面が変形され光検出器１９０により検出される。さらに、本光情報処理装置は、波長λ２の光Ｌ２を出射する第２の半導体レーザ１０１を有する。半導体レーザ１０１から出射した光Ｌ２は波長選択プリズム１０８により反射され、コリメートレンズ１０２および対物レンズ１０３により光Ｌ１と同じ位置に集光される。
【００４０】
図９は、本光情報処理装置を用いた場合の、光ディスク１０５の記録層（ここでは第１の記録層７５１）での光Ｌ１および光Ｌ２の集光状態を示す図である。本光情報処理装置は、光Ｌ１の集光スポットサイズに比べ光Ｌ２の集光スポットのサイズが大きくなるように構成されている。このような構成は、光Ｌ１の波長λ１に比べ光Ｌ２の波長λ２を大きくする、あるいは光Ｌ２の光軸方向の集光位置をずらす等により実現できる。高反射部７４１は光Ｌ２により形成され、高反射部７４１が光Ｌ１の集光スポットよりも広い範囲に形成される。このため、信号を検出する際に光Ｌ１を効率良く反射させることができる。
【００４１】
このように、本構成の光情報処理装置を用いて、実施の形態１〜３で示したような本発明の光記録媒体を再生することにより、より高効率の信号検出が可能となる。
【００４２】
［産業上の利用可能性］
本発明の光記録媒体および光記記録再生方法によれば、記録および再生時の光効率が向上するので、多層光記録媒体への高効率な記録再生が可能となる。
【図面の簡単な説明】
【図１】  本発明の実施の形態１の光記録媒体における第１記録層アクセス時の様子を示す断面図である。
【図２】  本発明の実施の形態１の光記録媒体における第２記録層アクセス時の様子を示す断面図である。
【図３】  本発明の実施の形態１の光記録媒体における最終記録層アクセス時の様子を示す断面図である。
【図４】  本発明の実施の形態１の光記録媒体における記録層アクセス時の様子を示す断面図である。
【図５】  光ビーム照射領域に対する記録層の温度分布を示す関係図である。
【図６】  本発明の実施の形態２の光記録媒体における記録層アクセス時の様子を示す断面図である。
【図７】  本発明の実施の形態３の光記録媒体における記録層アクセス時の様子を示す断面図である。
【図８】  本発明の実施の形態４の光情報処理装置の構成を示す説明図である。
【図９】本発明の実施の形態４の光情報処理装置を用いて記録層にアクセスしたときの光記録媒体の様子を示す断面図である。
【図１０】従来の多層記録媒体の断面図である。
【図１】
0004084660.tif 000002
【図２】
0004084660.tif 000003
【図３】
0004084660.tif 000004
【図４】
0004084660.tif 000005
【図５】
0004084660.tif 000006
【図６】
0004084660.tif 000007
【図７】
0004084660.tif 000008
【図８】
0004084660.tif 000009
【図９】
0004084660.tif 000010
【図１０】
0004084660.tif 000011